(57)【要約】【課題】無指向性の受信装置の受信感度を確実に向上させると共に、回路構成を簡素化する。【解決手段】人体に装着され、脈拍等を表す生体情報データをＡＳＫ変調して無線送信する携帯器と、該携帯器からの電波を受信して、生体情報の収集や表示を行う親器とからなる生体情報検出装置において、受信装置としての親器は、異なる位置に２つのアンテナ２１，２２を備えており、更に、その親器の受信回路１９では、２つのアンテナ２１，２２の各々により受信されて復調された２系統のアナログ受信信号Ａ１，Ａ２をアナログ加算回路３２により加算し、その加算信号Ａ３を、データスライサ回路３６により、所定のしきい値電圧と大小比較することでデジタル受信信号ＲＤに変換する。このため、受信感度を簡単な回路構成で確実に向上させることができる。【選択図】　図４
2004064627.tif 000002
【特許請求の範囲】
【請求項１】
送信装置からの電波をアンテナにより受信したアナログ受信信号を、しきい値電圧と大小比較することにより、デジタル受信信号に変換する受信装置であって、
前記アンテナとして、異なる位置に設けられた複数のアンテナを備えると共に、
前記複数の各アンテナによるアナログ受信信号をアナログ加算回路により加算し、そのアナログ加算回路の出力信号を、しきい値電圧と大小比較することにより、デジタル受信信号に変換すること、
を特徴とする受信装置。
【請求項２】
請求項１に記載の受信装置において、
前記アナログ加算回路は、
一端同士が互いに接続され、他端の各々に前記複数の各アンテナによるアナログ受信信号が１つずつ印加された複数の抵抗と、
前記複数の抵抗の接続点の電圧を増幅して出力するオペアンプからなる増幅回路と、
から構成されていることを特徴とする受信装置。
【請求項３】
請求項１又は請求項２に記載の受信装置において、
前記複数のアンテナのうちの少なくとも１つのグランド配線が、当該受信装置の筐体内部に設けられた金属シャーシに接続されていること、
を特徴とする受信装置。
【請求項４】
請求項１ないし請求項３の何れか１項に記載の受信装置において、
前記アナログ加算回路及び該アナログ加算回路の出力信号をデジタル受信信号に変換する回路が搭載された受信回路基板のグランドパターンと、当該受信装置における他の回路基板のグランドパターンとが、前記送信装置との通信に用いられる無線周波数以上の高周波をカットするフィルタを介して接続されていること、
を特徴とする受信装置。
【請求項５】
請求項１ないし請求項４の何れか１項に記載の受信装置において、
前記複数のアンテナとして、少なくとも第１のアンテナと第２のアンテナとを備え、
当該受信装置の筐体には、持ち運び用の取っ手が設けられていると共に、その取っ手は、前記筐体にて当該取っ手が設けられた面に対して垂直な一対の柱部と、前記面に対して平行な握り部とを有しており、
前記柱部の一方に前記第１のアンテナが配置され、前記握り部に前記第２のアンテナが配置されていること、
を特徴とする受信装置。
【発明の詳細な説明】
【０００１】
【発明の属する技術分野】
本発明は、送信装置からの電波をアンテナにより受信したアナログ受信信号を、所定のしきい値電圧と大小比較することでデジタル受信信号に変換する受信装置に関するものである。
【０００２】
【従来の技術】
送信装置と受信装置との少なくとも一方が任意に移動することを前提とした無線通信システムにおいては、受信装置の受信特性として無指向性（指向性が無いこと）が要求される。
【０００３】
そして、受信装置の無指向性のための技術としては、一般に、異なる位置に２つ以上のアンテナを設置して、その各アンテナのうち、受信感度の良好な方を選択して用いるダイバーシティ方式が知られている。
ここで、ダイバーシティ方式を採用した受信装置の構成例を図８に示す。尚、図８に例示する受信装置は、例えば振幅偏移変調方式（ＡＳＫ：Ａｍｐｌｉｔｕｄｅ　Ｓｈｉｆｔ　Ｋｅｙｉｎｇ）で変調された電波を送信装置から受信して復調し、その復調したアナログの受信信号を所定のしきい値電圧と大小比較することでデジタルの受信信号に変換し処理するものである。
【０００４】
図８に示すダイバーシティ方式の受信装置では、送信装置から送信された電波が２つのアンテナ１０１，１０２によって受信される。そして、一方のアンテナ１０１で受信された信号はアンプ１０３にて復調及び増幅され、同様に、他方のアンテナ１０２で受信された信号はアンプ１０４にて復調及び増幅される。
【０００５】
このため、アンプ１０３からは、アンテナ１０１による受信状態が良好である場合ほど、大きな振幅のアナログ受信信号Ａ１が出力され、同様に、アンプ１０４からは、アンテナ１０２による受信状態が良好である場合ほど、大きな振幅のアナログ受信信号Ａ２が出力されることとなる。
【０００６】
そして、アンプ１０３からのアンテナ１０１によるアナログ受信信号Ａ１は、直流分調整回路１０５にて、当該アナログ受信信号Ａ１の電圧値がアナログ回路の電源範囲を超えないように、その直流分（即ち、振幅の基準レベル）が調整され、更に、その直流分調整後のアナログ受信信号Ａ１から、ローパスフィルタ１０７により、通信ボーレート相当の周波数よりも高い周波数のノイズがカットされる。
【０００７】
同様に、アンプ１０４からのアンテナ１０２によるアナログ受信信号Ａ２は、直流分調整回路１０６にて、当該アナログ受信信号Ａ２の電圧値がアナログ回路の電源範囲を超えないように、その直流分が調整され、更に、その直流分調整後のアナログ受信信号Ａ２から、ローパスフィルタ１０８により、通信ボーレート相当の周波数よりも高い周波数のノイズがカットされる。
そして更に、この受信装置では、受信感度判定回路１１０が、ローパスフィルタ１０７を通過したアナログ受信信号Ａ１と、ローパスフィルタ１０８を通過したアナログ受信信号Ａ２とのうち、どちらが受信感度に優れているか（具体的には、どちらが振幅やＳ／Ｎなどが大きいか）を判定して、受信感度が良好であると判定した方のアナログ受信信号を、切り替え回路１１２からＡＣカップリングコンデンサ１１４の一端へ択一的に供給する。
【０００８】
すると、アナログ受信信号Ａ１，Ａ２のうち、切り替え回路１１２によって選択された方の信号は、ＡＣカップリングコンデンサ１１４にて直流成分がカットされ、二値化回路であるデータスライサ回路１１６に送られる。そして、そのデータスライサ回路１１６にて、所定のしきい値電圧Ｖｔｈと大小比較されることにより、デジタルの受信信号に変換（二値化）される。
【０００９】
【発明が解決しようとする課題】
ところで、図８のようなダイバーシティ方式では、受信感度判定回路１１０や切り替え回路１１２を設ける必要があるため、回路規模が大きくなってしまうという問題がある。そして、このため、例えば受信用の回路全体をシールドしたい様な場合に、回路規模が大きくてそのようなシールドを施すことができない、といった不具合を招いてしまう。
【００１０】
また、図８のようなダイバーシティ方式では、２系統のアンテナによる受信感度が両方共に良好でない場合には、結局、１系統の受信感度に依存してしまうこととなり、受信感度を常に確実に向上させることが難いという問題もある。
本発明は、こうした問題に鑑みなされたものであり、無指向性の受信装置の受信感度を確実に向上させると共に、回路構成を簡素化することを目的としている。
【００１１】
【課題を解決するための手段及び発明の効果】
上記目的を達成するためになされた請求項１に記載の受信装置は、送信装置からの電波をアンテナにより受信したアナログ受信信号を、しきい値電圧と大小比較することにより、デジタル受信信号に変換するものであり、送信装置からの電波を受信するためのアンテナとして、異なる位置に設けられた複数のアンテナを備えている。そして特に、この請求項１の受信装置では、複数の各アンテナによるアナログ受信信号をアナログ加算回路により加算し、そのアナログ加算回路の出力信号を、しきい値電圧と大小比較することによりデジタル受信信号に変換することを特徴としている。
【００１２】
そして、このような請求項１の受信装置によれば、受信感度が確実に向上し、しきい値電圧を高くしてノイズの影響を低減することができる。
つまり、送信装置から送られた目的の信号（即ち、ノイズではない情報の信号）については、複数の各アンテナによるアナログ受信信号が加算されることで、デジタル受信信号への変換対象であるアナログ信号（即ち、アナログ加算回路の出力信号であり、以下、デジタル変換対象信号という）の振幅が確実に大きくなる。よって、しきい値電圧を高く設定しても、十分な受信感度が得られ、目的の信号を正確にデジタル受信信号へと変換することができる。また、ノイズについては、各アンテナによるアナログ受信信号毎に発生タイミングがばらつくため、その各アンテナによるアナログ受信信号が加算されても、その加算信号であるデジタル変換対象信号には大きな振幅として現れない。よって、しきい値電圧を高く設定することで、ノイズの影響を格段に低減することができるのである。
【００１３】
そして更に、請求項１の受信装置によれば、通常のダイバーシティ方式のような受信感度判定回路（図８の１１０）や受信系の切り替え回路（図８の１１２）を設ける必要がなく、アナログ加算回路を設けるだけで受信感度を向上させることができ、回路構成を簡略化することができる。
【００１４】
尚、アナログ加算回路としては、請求項２に記載のように、一端同士が互いに接続され、他端の各々に複数の各アンテナによるアナログ受信信号が１つずつ印加された複数の抵抗と、その複数の抵抗の接続点の電圧を増幅して出力するオペアンプからなる増幅回路とから構成することができる。そして、このような構成のアナログ加算回路を用いれば、受信装置の回路構成を一層簡略化することができる。
【００１５】
次に、請求項３に記載の受信装置では、請求項１，２の受信装置において、複数のアンテナのうちの少なくとも１つのグランド配線を、当該受信装置の筐体内部に設けられた金属シャーシに接続している。
そして、このような請求項３の受信装置によれば、金属シャーシによりアンテナのグランド面積を多く取ることができ、受信感度を一層向上させることができる。
【００１６】
次に、請求項４に記載の受信装置では、請求項１〜３の受信装置において、アナログ加算回路及び該アナログ加算回路の出力信号をデジタル受信信号に変換する回路が搭載された受信回路基板のグランドパターンと、当該受信装置における他の回路基板のグランドパターンとが、送信装置との通信に用いられる無線周波数以上の高周波をカットするフィルタを介して接続されている。
【００１７】
そして、このような請求項４の受信装置によれば、受信回路基板と他の回路基板とで、高周波的にグランドラインが切り離されることとなり、他の回路基板の回路による受信回路基板への影響と、受信回路基板の回路による他の回路基板への影響とを排除することができ、例えば、その両基板での不要な共振を無くすことができる。このため、例えばアンテナの特性調整を行う必要がある場合には、その調整が容易になる。尚、このようなフィルタを、グランドパターン以外の他のパターン（例えば、電源のパターンや信号のパターン）についても設ければ、一層効果的である。
【００１８】
ところで、受信特性の無指向化を効率的に達成するためには、一般に、アンテナを２つ用意し、その２つのアンテナ間に無線波長の４分の１の距離を設けると共に、両アンテナの検波面を９０°ずらすことが最も有効と言われている。
そこで、このようなアンテナ配置を実現するためには、請求項５のように構成すると良い。
【００１９】
即ち、請求項５に記載の受信装置では、請求項１〜４の受信装置において、複数のアンテナとして、少なくとも第１のアンテナと第２のアンテナとを備えている。そして、この請求項５の受信装置において、当該受信装置の筐体には、持ち運び用の取っ手が設けられていると共に、その取っ手は、筐体にて当該取っ手が設けられた面に対して垂直な一対の柱部と、筐体にて当該取っ手が設けられた面に対して平行な握り部とを有しており、前記柱部の一方に第１のアンテナが配置され、前記握り部に第２のアンテナが配置されている。
【００２０】
そして、このような請求項５の受信装置によれば、第１のアンテナと第２のアンテナとの配置が９０°ずれて、自ずと両アンテナの検波面が９０°ずれた形となり、また、両アンテナの距離も確保することができるため、受信特性の無指向化を効率的に達成することができる。
【００２１】
また、例えばポールアンテナを筐体外部に立てることも考えられるが、人が頻繁に触れることが予測される受信装置では、筐体外部にアンテナを立てると、人がアンテナに手足を引っかけてしまう可能性があるため、請求項５のような構成が特に有効である。
【００２２】
【発明の実施の形態】
以下、本発明が適用された実施形態の生体情報検出装置について、図面を用いて説明する。
まず図１は、実施形態の生体情報検出装置１の外観図である。
【００２３】
図１に示すように、本実施形態の生体情報検出装置１は、人体（例えば腕など）に装着されて皮膚の上から光学的に血流等の状態を検出し、その検出結果を表す生体情報データを無線送信する送信装置としての小型の携帯器３と、携帯器３からの電波を受信して、その携帯器３が装着された人の脈拍数や呼吸数等といった生体情報の収集，解析及び表示などを行う受信装置としての親器５とからなっている。
【００２４】
そして、携帯器３においては、内部の発光素子及び受光素子等からなる光学的検出回路で得られた上記生体情報データ（本実施形態では、９６００ｂｐｓのデジタル信号）が、図２に示す如く、送信対象のデジタル信号として、通信モジュール（通信用のＩＣ）７へ伝送され、その通信モジュール７内のアンプ８で変調（本実施形態ではＡＳＫ変調）されると共に増幅されることで、所定の無線通信規格の信号（本実施形態では３００ＭＨｚ帯微弱無線規格の信号）に変換され、アンテナ９から送信される。
【００２５】
尚、携帯器３は、人体に装着されていない未使用時には、図１のように、親器５の筐体１１に設けられている穴状のソケット部１１ａに差し込まれて充電されるようになっている。また、親器５の筐体１１は、上面の奥行よりも下面（底面）の奥行の方が長くなっており、つまり側面が台形の六面体となっている。
【００２６】
一方、親器５の筐体１１の上面には、当該親器５を持ち運ぶための取っ手１３が取り付けられている。
そして、取っ手１３は、筐体１１の上面（筐体１１にて当該取っ手１３が設けられた面に相当）に対して垂直な一対の柱部１３ａ，１３ｂと、筐体１１の上面に対して平行な握り部１３ｃとを有したコ字状に形成されており、その取っ手１３の内部には、図３に示すように、携帯器３からの電波を受信するためのアンテナとして、第１のチップアンテナ２１（第１のアンテナに相当）と第２のチップアンテナ２２（第２のアンテナに相当）とが配置されている
具体的には、取っ手１３の柱部１３ａ，１３ｂの一方（本実施形態では柱部１３ａ）の内部に、その柱部１３ａに沿って、長方形のアンテナ取り付け基板Ｋ１が固定されており、そのアンテナ取り付け基板Ｋ１の上に縦長の第１のチップアンテナ２１が搭載されている。また、取っ手１３の握り部１３ｃにおける柱部１３ｂ側の端（換言すれば、柱部１３ａ側とは反対側の端）の内部に、その握り部１３ｃに沿って、長方形のアンテナ取り付け基板Ｋ２が固定されており、そのアンテナ取り付け基板Ｋ２の上に縦長の第２のチップアンテナ２２が搭載されている。
【００２７】
そして、第１のチップアンテナ２１と第２のチップアンテナ２２は、図３の如く垂直方向の柱部１３ａと水平方向の握り部１３ｃとの各々の長手方向に沿って固定されることで、両者の検波面が９０°ずらされると共に、両者の距離が無線波長の４分の１以上離されて配置されており、これにより、受信特性の無指向化が実現されている。
【００２８】
また、親器５の筐体１１における正面には、脈拍の状態や脈拍数等の各種生体情報を表示するための表示器１５と、動作音などを外部に発するためのスピーカ孔１６と、携帯器３が充電中か否かを表すＬＥＤ（発光ダイオード）１７とが設けられている。
【００２９】
そして、親器５は、携帯器３からの電波を上記２つのチップアンテナ（以下単に、アンテナという）２１，２２によって受信し処理するために、筐体１１内に図４に示す受信回路１９を備えている。
即ち、親器５の受信回路１９においては、第１のアンテナ２１で受信された信号が復調機能付きのアンプ２３にて復調及び増幅され、同様に、第２のアンテナ２２で受信された信号が復調機能付きのアンプ２４にて復調及び増幅される。このため、アンプ２３からは、第１のアンテナ２１による受信状態が良好である場合（つまり、指向性が良い位置で受信した場合）ほど、大きな振幅のアナログ受信信号Ａ１が出力され、同様に、アンプ２４からは、アンテナ２２による受信状態が良好である場合ほど、大きな振幅のアナログ受信信号Ａ２が出力されることとなる。
【００３０】
そして、アンプ２３からのアンテナ２１によるアナログ受信信号Ａ１は、後述するアナログ加算回路３２で２つの各アンテナ２１，２２による２系統のアナログ受信信号が加算される場合に、そのアナログ加算回路３２で扱われる電圧（具体的には、後述する抵抗４１，４２同士の接続点の電圧やオペアンプ４３の出力電圧）がアナログ回路の電源電圧を越えないように、直流分調整回路２５にて、直流分（即ち、振幅の基準レベル）が調整され、更に、その直流分調整後のアナログ受信信号Ａ１から、通信ボーレートである９６００ｂｐｓ付近の周波数（本実施形態では５ＫＨｚ）よりカットオフが始まるアクティブローパスフィルタ２７により、通信ボーレートよりも周波数の高いノイズがカットされる。
【００３１】
同様に、アンプ２４からのアンテナ２２によるアナログ受信信号Ａ２も、上記直流分調整回路２５と同じ特性の直流分調整回路２６にて直流分が調整され、更に、その直流分調整後のアナログ受信信号Ａ２から、上記アクティブローパスフィルタ２７と同じ特性のアクティブローパスフィルタ２８により、通信ボーレートよりも周波数の高いノイズがカットされる。
【００３２】
そして更に、この受信回路１９では、フィルタ２７を通過したアナログ受信信号Ａ１と、フィルタ２８を通過したアナログ受信信号Ａ２とが、アナログ加算回路３２によって加算され、そのアナログ加算回路３２の出力信号（即ち、アンテナ２１によるアナログ受信信号Ａ１とアンテナ２１によるアナログ受信信号Ａ２との加算信号）Ａ３がＡＣカップリングコンデンサ３４の一端に供給される。
【００３３】
尚、アナログ加算回路３２は、一端同士が互いに接続されると共に、他端の各々にフィルタ２７，２８からの各アナログ受信信号Ａ１，Ａ２が１つずつ印加された２つの加算用抵抗４１，４２と、その抵抗４１，４２同士の接続点に非反転入力端子が接続され、出力端子がＡＣカップリングコンデンサ３４の一端に接続されたたオペアンプ４３と、オペアンプ４３の出力端子と反転入力端子との間に接続された抵抗４４と、オペアンプ４３の反転入力端子と接地電位（グランドライン＝０Ｖ）との間に接続された抵抗４５とから構成されている。つまり、アナログ加算回路３２では、抵抗４１，４２同士の接続点に生じるアナログ受信信号Ａ１，Ａ２の加算電圧を、オペアンプ４３及び抵抗４４，４５からなる非反転増幅回路で増幅して出力するようになっている。
【００３４】
そして、このようなアナログ加算回路３２の出力信号Ａ３は、ＡＣカップリングコンデンサ３４により直流成分がカットされて、二値化回路であるデータスライサ回路３６に送られ、そのデータスライサ回路３６にて、所定のしきい値電圧Ｖｔｈと大小比較されることにより、デジタルの受信信号ＲＤに変換（二値化）される。つまり、データスライサ回路３６は、ＡＣカップリングコンデンサ３４からの入力信号がしきい値電圧Ｖｔｈ以上であれば論理１に相当するハイレベルを出力し、入力信号がしきい値電圧Ｖｔｈ以上でなければ論理０に相当するローレベルを出力する、といった手順で二値化を行う。
【００３５】
尚、受信回路１９において、アンプ２３とデータスライサ回路３６は、１つの通信用ＩＣである通信モジュール３７に内蔵されたものであり、また、アンプ２４も、通信モジュール３７と同じ構成の通信モジュール３８に内蔵されたものである。そして、２つの通信モジュール３７，３８のうち、一方の通信モジュール３７のデータスライサ回路３６を使用し、他方は未使用としている。つまり、２系統用意されたアンテナ２１，２２によるアナログ受信信号Ａ１，Ａ２を通信モジュール３７，３８の各々から一旦取り出し、アナログ加算回路３２により加算処理した後、一方の通信モジュール３７に返して、その通信モジュール３７内のデータスライサ回路３６でデジタル信号化するようにしている。また、データスライサ回路３６のしきい値電圧Ｖｔｈは、通信モジュール３７に接続される外付け抵抗３９の抵抗値によって任意に設定できるようになっている。
【００３６】
そして、親器５において、上記受信回路１９のデータスライサ回路３６により変換されたデジタル受信信号ＲＤは、図５に示すように、受信回路１９が搭載された受信回路基板４７とは別の回路基板４９に搭載されたマイコン５１へ送られ、更に、そのマイコン５１から、図示しないボードＰＣ（パソコン）へと送られて、そのボードＰＣにより、デジタル信号処理され、生体情報の収集、解析、及び表示器１５への表示などが行われる。
【００３７】
また、親器５において、受信回路基板４７と上記マイコン５１等が搭載された他の回路基板４９とは、図５に示すように、複数本のケーブル５３及びコネクタ５５によって接続されているが、特に受信回路基板４７において、全てのコネクタ端子Ｊの各々と、その各コネクタ端子Ｊに接続されるべき基板上の各配線パターン（具体的には、グランドのパターンと、電源のパターンと、デジタル受信信号ＲＤのパターン）Ｐとは、無線周波数（３００ＭＨｚ）以上の高周波をカットするフェライトＦ１，Ｆ２と貫通コンデンサＣからなるフィルタ５７を介して接続されている。
【００３８】
つまり、受信回路基板４７におけるグランド（ＧＮＤ），電源，信号の各パターンＰと、他の回路基板４９におけるグランド，電源，信号の各パターンとが、フィルタ５７を介して夫々接続されており、これにより、受信回路基板４７と他の回路基板４９とで、高周波的にグランドラインが完全に切り離されている。
【００３９】
また更に、親器５においては、図６に示すように、２つのアンテナ２１，２２のうちの一方（本実施形態ではアンテナ２１）のグランド配線６１が、当該親器５の筐体１１内に設けられたアルミシャーシ６３（金属シャーシに相当）に接続されている。
【００４０】
尚、アルミシャーシ６３は、筐体１１内において、前述した各回路基板４７，４９やボードＰＣなど、親器５の機能を実現するための各電子機器を保持するものである。また、図６（ａ）は、アルミシャーシ６３を正面から表した図であり、図６（ｂ）は、アルミシャーシ６３を図６（ａ）の右側から表した図である。
【００４１】
以上のように、本実施形態の生体情報検出装置１における親器５では、２つの各アンテナ２１，２２によるアナログ受信信号Ａ１，Ａ２をアナログ加算回路３２によって加算し、そのアナログ加算回路３２の出力信号を、しきい値電圧Ｖｔｈと大小比較することでデジタル受信信号ＲＤに変換している。
【００４２】
このため、２系統のアナログ受信信号Ａ１，Ａ２の両方の振幅が大きい場合は勿論、図７に示すように、そのアナログ受信信号Ａ１，Ａ２のうちの片方あるいは両方の振幅が小さい場合でも、その両アナログ受信信号Ａ１，Ａ２を加算した加算信号Ａ３の振幅は拡大される（即ち、個々のアナログ受信信号Ａ１，Ａ２の振幅よりも大きくなる）ため、受信感度は確実に向上することとなる。つまり、２系統のアナログ受信信号Ａ１，Ａ２が加算されるため、デジタル変換対象信号（デジタル受信信号ＲＤへの変換対象であるアナログ信号）の振幅に余裕ができる。
【００４３】
また、ノイズについては、図７に示すように、各アンテナ２１，２２によるアナログ受信信号Ａ１，Ａ２毎に発生タイミングがばらつくため、両アナログ受信信号Ａ１，Ａ２が加算されても、その加算信号Ａ３には大きな振幅として現れない。
【００４４】
よって、目的の信号の振幅が大きくなる分、しきい値電圧Ｖｔｈを高く設定することで、ノイズの影響を格段に低減することができる。
このように本実施形態の親器５によれば、受信感度が確実に向上し、しきい値電圧Ｖｔｈを高く設定してノイズの影響を低減することができる。
【００４５】
しかも、本実施形態の親器５における受信回路１９によれば、通常のダイバーシティ方式で必要な図８の受信感度判定回路１１０や切り替え回路１１２が不要であり、簡単な構成のアナログ加算回路３２を設けるだけで良いため、回路構成を簡略化することができる。
【００４６】
特に、本実施形態の親器５では、受信回路１９が、高周波ノイズを発生し易いボードＰＣと同じ筐体１１内に設けられるため、その受信回路１９全体をシールドしている。よって、受信回路１９が小型であることは非常に有利である。
また、本実施形態の親器５では、図５に示したように、受信回路１９が搭載された受信回路基板４７と他の回路基板４９とで相互に接続される全ての各パターン同士が、無線周波数以上の高周波をカットするフィルタ５７を介して夫々接続されている。
【００４７】
このため、受信回路基板４７と他の回路基板４９とで、高周波的にグランドラインが完全に切り離されることとなり、他の回路基板４９の回路による受信回路基板４７への影響と、受信回路基板４７の回路による他の回路基板４９への影響とを排除することができ、例えば、その両基板４７，４９での不要な共振を無くすことができる。よって、例えばアンテナ２１，２２の特性調整を行う必要がある場合には、その調整を容易に行うことができる。
【００４８】
尚、効果が劣るものの、フィルタ５７は、グランドパターンのみについて設けるようにしても良い。
また更に、本実施形態の親器５では、図６に示したように、アンテナ２１のグランド配線６１がアルミシャーシ６３に接続されているため、そのアンテナ２１のグランド面積を多く取ることができ、受信感度を一層向上させることができる。
【００４９】
尚、アンテナ２１のグランドラインとアンテナ２２のグランドラインとで不要な干渉等が起こらないのであれば、アンテナ２１だけでなく、アンテナ２２のグランド配線も、アルミシャーシ６３に接続するようにしても良い。
また、本実施形態の親器５では、図３に示したように、第１のアンテナ２１を取っ手１３の柱部１３ａに配置し、第２のアンテナ２２を取っ手１３の握り部１３ｃに配置しているため、両アンテナ２１，２２の検波面を９０°ずらすことと、両アンテナ２１，２２の距離を無線波長の４分の１以上離すことと、人がアンテナに手足を引っかけてしまう可能性の排除とを、効果的に実現することができる。
【００５０】
以上、本発明の一実施形態について説明したが、本発明は、種々の形態を採り得ることは言うまでもない。
例えば、上記実施形態の親器５では、受信アンテナの数が２つであったが、アンテナは３つ以上であっても良い。
【００５１】
また、親器５の取っ手１３の形状は、コ字状に限らず、例えばＨ字状にしても良い。
また更に、本発明の受信装置は、前述した生体情報検出装置１の親器５以外の他の機器に対しても同様に適用することができる。
【図面の簡単な説明】
【図１】実施形態の生体情報検出装置の外観図である。
【図２】生体情報検出装置の携帯器における送信回路部分を表す構成図である。
【図３】親器における取っ手及びアンテナの取り付け状態を表す図である。
【図４】生体情報検出装置の親器における受信回路部分を表す構成図である。
【図５】受信回路基板と他の回路基板との接続状態を表す図である。
【図６】親器内のアルミシャーシの外観図である。
【図７】親器の受信回路の作用を表す図である。
【図８】ダイバーシティ方式の受信装置の構成例を表す図である。
【符号の説明】
１…生体情報検出装置、３…携帯器（送信装置）、５…親器（受信装置）、７，３７，３８…通信モジュール、８，２３，２４…アンプ、９，２１，２２…アンテナ、１１…筐体、１１ａ…ソケット部、１３…取っ手、１３ａ，１３ｂ…柱部、１３ｃ…握り部、１５…表示器、１６…スピーカ孔、１７…ＬＥＤ、１９…受信回路、Ｋ１，Ｋ２…アンテナ取り付け基板、２５，２６…直流分調整回路、２７，２８…アクティブローパスフィルタ、３２…アナログ加算回路、３４…ＡＣカップリングコンデンサ、３６…データスライサ回路、３９，４１，４２，４４，４５…抵抗、４３…オペアンプ、４７…受信回路基板、４９…回路基板、５１…マイコン、５３…ケーブル、５５…コネクタ、Ｊ…コネクタ端子、５７…フィルタ、Ｆ１，Ｆ２…フェライト、Ｃ…貫通コンデンサ、６１…グランド配線、６３…アルミシャーシ
【図１】
2004064627.tif 000003
【図２】
2004064627.tif 000004
【図３】
2004064627.tif 000005
【図４】
2004064627.tif 000006
【図５】
2004064627.tif 000007
【図６】
2004064627.tif 000008
【図７】
2004064627.tif 000009
【図８】
2004064627.tif 000010